Podtech/llm-jp-corpus-v4-ja_patent huggingface dataset:
(57)【要約】      （修正有） 【課題】携帯電話を固定して撮影する撮影用スタンドを提供する。【解決手段】携帯電話の構造そのものを変更させずに撮影用スタンドと接続端子を利用して固定することを可能とした。また簡単な撮影用に撮影用スタンドに乗せるだけの構造とした。さらにストラップのアクセサリーとしてマスコット等の形状で撮影スタンドとしての機能を損なわずに楽しめるものとした。携帯電話の撮影能力が高くなっているのに撮影用スタンドがなかったことで十分に使えなかった課題を解決する。【選択図】図１
0003155214.tif 000002
【実用新案登録請求の範囲】
【請求項１】
携帯電話の接続端子を利用して携帯電話を固定または携帯電話を置くことで撮影を可能とした小型で携帯電話のストラップとして取り付けが可能。またアクセサリーとしても楽しめるなどの特徴を持つ携帯電話用撮影スタンド。
【考案の詳細な説明】
【技術分野】
【０００１】
本考案は、携帯電話での撮影に関するものである
【背景技術】
【０００２】
携帯電話の撮影機能は年々技術的に向上しており、カメラ機能だけでなく動画の撮影も可能となっている。現在ではセルフタイマーでの撮影が可能と従来のカメラやビデオカメラと同等の機能を備えている。
【０００３】
しかし、撮影機能は向上していても本来の目的は電話であるために、その形状は撮影に対して適した構造ではない。このため携帯電話を被写体方向に固定して置いて撮影することは考えられていなかった。
【０００４】
撮影の機能が向上し、さらにはセルフタイマーまで備えているが携帯電話という本来の目的の構造が撮影に関わる機能を十分に使えないという問題があった。
【０００５】
この改善策として、従来のカメラやビデオカメラでも使われている三脚などの撮影用のスタンドがある。カメラやビデオカメラは撮影用スタンドが取り付けられるように設計されているが携帯電話には設計されていない。また、手軽に何処でも撮影できることがコンセプトであるので従来のカメラやビデオカメラ用の撮影スタンドは持ち運びに不便という相容れないものとなっている。
【考案の概要】
【考案が解決しようとする課題】
【０００６】
解決しようとする問題点は、携帯電話の構造はそのままでストラップとしても取り付けられる撮影用スタンドである。
【課題を解決するための手段】
【０００７】
本考案は、携帯電話の接続端子を使って撮影用スタンドと携帯電話を固定し、携帯電話のストラップとしても取り付けられることを主要な特徴とする。
【考案の効果】
【０００８】
本考案の撮影用スタンドは、携帯電話にストラップとして取り付けられるのでいつでも使いたいときに使用できる。コネクタを固定部分に使うので携帯電話の接続端子に差し込むだけで簡単に固定でき、誰もが知っている使用方法で装着できる利点がある。また、固定はしないが最小限の撮影用スタンドとしての機能だけを備えたタイプもあり、形状にはこだわらないのでマスコット等の形でも撮影可能な形態のものとする。
【図面の簡単な説明】
【０００９】
【図１】図１は接続端子部分または携帯電話を載せる部分と撮影用スタンドの接続方法を示した説明図である。（実施例１）
【図２】図２は撮影する向きを示した説明図である。（実施例２）
【図３】図３は撮影用スタンドを携帯電話のストラップとして取り付けた説明図である。（実施例３）
【考案を実施するための形態】
【００１０】
携帯用ストラップとして使える目的で最小限の大きさと部品で撮影の必要な機能を失わずに実現した。携帯電話を固定して撮影する目的のものと固定は出来ないが簡易的に置き台とすることで、より小型化やアクセサリーとしても楽しめる形態が可能となる。
【実施例１】
【００１１】
図１は本考案の撮影用スタンドの取り付けを示したものである。
１は携帯電話にある接続端子で２は撮影用スタンドのコネクタで固定させる。
３は三脚で図２の使用例にあるように用途に応じて伸縮させることが出来る。
携帯電話の接続端子を固定部材として使用することで従来の携帯電話の構造のまま使用することを可能としている。４は携帯電話を上に乗せるだけの部材であり図２の使用例でも携帯電話の重心位置に対してのみ置くことが可能である。携帯電話を固定できないので安定性には欠けるが、より小型化が可能となる。５はマスコットタイプだが基本的な役割は４と同じで、ストラップのアクセサリー的魅力を優先させたものとなる。
【実施例２】
【００１２】
図３の実施例は携帯電話にストラップとして飾られた撮影用スタンドである。
携帯電話のストラップとして飾ることで、撮影に必要なときには常に持ち歩いているので忘れる心配がない。また、使用者の目的や好みによって目的別の構造となっているので撮影重視であれば接続端子に固定するタイプを選択し、簡単な撮影目的なら置くだけのタイプやアクセサリー重視のタイプと種類を選択することが出来る。
【符号の説明】
【００１３】
１    携帯電話の接続端子部分
２    撮影スタンドの接続端子と接続するコネクタ
３    スタンド（図説では三脚）
４    撮影スタンドの携帯電話を置く部分
５    アクセサリー型撮影スタンドの携帯電話を置く部分
【図１】
0003155214.tif 000003
【図２】
0003155214.tif 000004
【図３】
0003155214.tif 000005
【手続補正書】
【提出日】平成21年9月9日(2009.9.9)
【手続補正１】
【補正対象書類名】実用新案登録請求の範囲
【補正対象項目名】請求項１
【補正方法】変更
【補正の内容】
【請求項１】
携帯電話の接続端子に差し込むことで固定する構造、または携帯電話を支える構造を持つ撮影用スタンドとしての機能を持ち、小型で携帯電話のストラップとして取り付けられる携帯電話用撮影スタンド。
(57)【要約】      （修正有）【課題】洗濯機の点検、修理の際に妨げとなる洗濯機の洗濯槽を塞ぐ開閉カバーをその洗濯機本体の上部近傍で洗濯機本体と開閉カバーの後方端を中心として、前方端を高く立て掛ける事を可能にする洗濯槽カバー立て掛け装置を提供する。【解決手段】洗濯機本体と、この洗濯機本体の洗濯槽を塞ぐと共に後方端を中心として、手前から後方に向かって一定開き角度で位置する開閉カバーを、この開閉カバーの前方回り縁に当たって受ける一端及び他端を前記洗濯槽の近傍で、しかも洗濯機本体の側縁との間に位置させると共に、前記他端が前記洗濯機の任意の位置にスライドして停止する斜杆と、この斜杆の中間に一端を、且つ他端を前記洗濯機本体の側縁にそれぞれ軸支持した支持脚とで成した。【選択図】図２
0003155213.tif 000002
【実用新案登録請求の範囲】
【請求項１】
洗濯機本体と、この洗濯機本体の洗濯槽を塞ぐと共に後方端を中心として、手前から後方に向かって一定開き角度で位置する開閉カバーと、この開閉カバーの前方回り縁に当たって受ける一端及び他端を前記洗濯槽の近傍で、しかも洗濯機本体の側縁との間に位置させると共に、前記他端が前記洗濯機の任意の位置にスライドして停止する斜杆と、この斜杆の中間に一端を、且つ他端を前記洗濯機本体の側縁にそれぞれ軸支持した支持脚とで成したことを特徴とした洗濯機における洗濯槽カバー立て掛け装置。
【請求項２】
前記斜杆は、洗濯機本体及びカバーの両側縁のいずれか一方側縁に装備され、且つ他方側縁は前記カバーの後方端を洗濯機本体に軸支持したことを特徴とした請求項１記載の洗濯槽カバー立て掛け装置。
【考案の詳細な説明】
【技術分野】
【０００１】  本考案は洗濯機本体の洗濯槽を塞ぐ開閉カバーを、洗濯機本体の上部近傍で支持する装置に関するものである。
【背景技術】
【０００２】  洗濯機の洗濯槽を点検、修理する時、それを塞ぐ開閉カバーが作業の妨げになり外す必要があるが、洗濯機本体と洗濯槽を塞ぐ開閉カバーは配線で繋がっており完全に外すことはできず、しかも近年の機種乾燥機能が付いた機種が増え重くなっている。又洗濯機本体と開閉カバーとの間に、開閉カバーの後方端を中心に前方端を高く一定開き角度で両側縁に設置する開閉カバー支持装置で開閉カバーを洗濯機本体の後方端上部に載せて斜杆とで開閉カバーの重量を支えるものも考えられるが、前記洗濯機本体と開閉カバーの接地部分が破壊する恐れがあり、且つ洗濯機本体と開閉カバーの配線が破断する恐れがある。
【考案の開示】
【考案が解決しようとする課題】
【０００３】  前述の欠点を解決して、洗濯機の洗濯機本体の上部近傍で開閉カバーを立て掛けることを可能にし、且つ洗濯槽の上部空間を得る。
【課題を解決する為の手段】
【０００４】  洗濯機本体と、この洗濯機本体の洗濯槽を塞ぐと共に後方端を中心として、手前から後方に向かって一定開き角度で位置する開閉カバーと、この開閉カバーの前方回り縁に当たって受ける一端及び他端を前記洗濯槽の近傍で、しかも洗濯機本体の側縁との間に位置させると共に、前記他端が前記洗濯機の任意の位置にスライドして停止する斜杆と、この斜杆の中間に一端を、且つ他端を前記洗濯機本体の側縁にそれぞれ軸支持した支持脚とで成した。
【考案の効果】
【０００５】（１）請求項１により洗濯機本体の洗濯槽を塞ぐと共に後方端を中心として、手前から後方に向かって一定開き角度で位置する開閉カバーと、この開閉カバーの前方回り縁に当たって受ける一端及び他端を前記洗濯槽の近傍で、しかも洗濯機本体の側縁との間に位置させると共に、前記他端が前記洗濯機の任意の位置にスライドして停止する斜杆と、この斜杆の中間に一端を、且つ他端を前記洗濯機本体の側縁にそれぞれ軸支持した支持脚を、洗濯機本体の両側縁に設置させて、洗濯機本体と開閉カバーと接地すること無く立て掛けられる。
（２）請求項２により開閉カバーの後方端を洗濯機本体を軸支持した開閉カバーを持つ機種は一本にて使用可能となり、従って安価で、しかも故障等のトラブル軽減になる。
【考案を実施するための最良の形態】
【実施例】
【０００６】  以下本考案は洗濯機を実施例として掲げた図面に基いて説明すると、図２は本洗濯機槽カバー立て掛け状態を示す一部切欠斜視図であって、洗濯機本体１には、その洗濯槽２を開閉する開閉カバー３が備えられている。この開閉カバー３の前方回り縁の内側端３ａに斜杆４の一端に設けた吸盤７を当たって受けて吸着させて支持させ、且つ他端に設けたクランプ６を前記洗濯機本体１の左右側縁１ａ１ａに設置すると共に、前記斜杆４の中間に軸支持した支持脚５の一端に設けた吸盤７を洗濯機本体１の後方端上部１ｂ１ｂで吸着させる。【０００７】  開閉カバー３の高さは斜杆スライド脚４ａをスライドＸさせ斜杆調整兼固定ねじ１０を締めると共に斜杆固定ねじ８を締めて固定し、前記開閉カバー３の立て掛け角度は斜杆４と支持脚５との角度Ｙで決め、支持脚５が当たって受ける長さにスライド脚５ａをスライドＺさせ支持脚固定ねじ９を締めて固定する。【０００８】  次に本考案の洗濯槽カバー立て掛け装置の使用順序を図に基いて説明する。始めに洗濯機本体１と開閉カバー３の接続を外し、予め斜杆４の長さを前記開閉カバーの奥行きと同じ長さに斜杆スライド脚４ａをスライドＸさせ斜杆調整兼固定ねじ１０を締めると共に、支持脚５の長さは斜杆４の下部に付いたグリップ６の取り付け軸の位置と同じ長さに支持スライド脚５ａを移動Ｚさせ支持脚固定ねじ９を締めて固定する。【０００９】  斜杆４の下部に設けたグリップ６を洗濯機本体１の側縁１ａ１ａに設置させると共に、支持脚５の一端に設けた吸盤７を洗濯機本体１の後方端上部の角１ｂ１ｂに吸着させる。次に前記開閉カバー３の回り縁の内側端３ａ３ａに斜杆４の上部に設けた吸盤７を吸着させ一旦立て掛ける。【００１０】  最後に作業効率の良い開閉カバー３の立て掛け高さ、角度に調整する為に、斜杆４の斜杆調整兼固定ねじ１０を緩め斜杆スライド脚４ａをスライドＸさせ高さを決め再度斜杆調整兼固定ねじ１０を締め斜杆固定ねじ８も締め、角度はグリップ８を後方側にスライドさせるか、支持スライド脚５ａをスライドＺさせて支持脚５の長さを変える事により角度Ｙを調整する。
【図面の簡単な説明】
【００１１】
【図１】洗濯機の一部切欠斜視図。
【図２】本洗濯槽カバー立て掛けた状態を示す一部切欠斜視図。
【図３】本件考案に係わる斜杆の斜視図。
【図４】同上の部分斜視図。
【図５】同上の部分斜視図。
【図６】同上の部分斜視図。
【図７】同上の部分斜視図。
【符号の説明】
【００１２】１    洗濯機本体
２    洗濯槽
３    開閉カバー
４    斜杆
５    支持脚
６    グリップ
７    吸盤
８    斜杆固定ねじ
９    支持脚固定ねじ
１０  斜杆調整兼固定ねじ
【図１】
0003155213.tif 000003
【図２】
0003155213.tif 000004
【図３】
0003155213.tif 000005
【図４】
0003155213.tif 000006
【図５】
0003155213.tif 000007
【図６】
0003155213.tif 000008
【図７】
0003155213.tif 000009
(57)【要約】      （修正有）【課題】省エネを目的とした従来の給湯器からエコキュートに交換する際に、この交換作業に日時を要して不便を感じていた。直ちにエコキュートを設置することが可能な省エネ形電気温水器用基礎架台を提供する。【解決手段】受皿と升目状をした補強枠を組合せセットとした基礎体を用い、これにスペーサーブロックを用いてエコキュート用の基礎架台を形成し敷設するコンクリートの硬化を待つことなく、直ぐにエコキュートを配置することが可能となり、僅か半日での使用が可能となった。【選択図】図１
0003155254.tif 000002
【実用新案登録請求の範囲】
【請求項１】
一定の深さＨを有する方形の受皿体（１）の内部に、該深さＨの半分程の高さを有する全体に升目状の補強枠（２）を配置した基礎体Ａと、該升目状の補強枠（２）上に設置する省エネ形電気温水器の脚部に見合った数のスペーサーブロックＢを配置組合せたことを特徴とした省エネ形電気温水器用基礎架台。
【考案の詳細な説明】
【技術分野】
【０００１】  本考案は省エネ形電気温水器として知られているエコキュート（関西電力の登録商標であるが以下本書ではエコキュートという）を設置するための基礎架台に関する。
【背景技術】
【０００２】  省エネが呼ばれている今日、リホームなどで灯油やガス給湯器からエコキュートへの切替工事が盛んに行われている。そして、この工事に際して従来工程では、従来の給湯器の取外し、基礎型枠の設置、コンクリートの打設、養生、脱型、エコキュートの設置等の作業があり、工事業者も異なり一週間程度の期間を要し、この間クライアントは湯を使えない不便な状態にあった。
【特許文献１】  特開２００６−２２３３９９号公報
【特許文献２】  特開２００６−３２２２１５号公報
【考案の開示】
【考案が解決しようとする課題】
【０００３】  このため工期の短縮化を図るため前記特許文献をはじめとしていくつかの技術が開発されてはいる。しかし、エコキュート自体重量があり基礎体にコンクリートを用いるため基礎の安定に日時を要している。
【課題を解決するための手段】
【０００４】  考案者はこの点に鑑み鋭意研究を重ねた結果本考案に到達したものであって、本考案は一定の深さを有する受皿体（１）内に、この深さの半分程の高さを有する升目状の補強枠（２）を配置した基礎体Ａと、この基礎体Ａ上に設置するエコキュートの脚部の数に見合う数のスペーサーブロックＢを組合せて基礎架台を形成し、この架台上にエコキュートを設置することによって直ちにエコキュートの使用が可能となった。
【考案の効果】
【０００５】  上述のように本考案は、エコキュート設置用の基礎架台を組立て配置することによって、コンクリート等の硬化安定を保つことなく直ちにエコキュートを設置することが可能となった。このため湯の使用できない期間が約１日位となり、工期の短縮にもつながり、コストの削減に係る効果は大きく顕著である。
【実施例】
【０００６】  添付図面により本考案の実施例を説明すると、図１は深さのある受皿体（１）と、升目状の補強枠（２）を配置した基礎体Ａの平面図であって、受皿体（１）は、図２のＸ−Ｘ断面図に示すように一定の深さＨを有している方形であり、この受皿体（１）内に升目状に組込んだ補強枠（２）を設けてなる。【０００７】  この升目状の補強枠（２）は受皿体（１）の深さＨの半分程の高さによって形成されていて受皿体（１）内に納まり一体となって基礎体Ａを形成する。【０００８】  図３はスペーサーブロックＢの平面図を示し、升目状の補強材（２）上に載置してエコキュート（図示していない）を載置する際の脚の受台となる。したがってスペーサーブロックＢはエコキュートの脚の数（通常３個）必要となる。【０００９】  実施例を示すと、受皿体（１）は長方形状でこの辺の長さは９６ｃｍ×８１ｃｍ、深さは１３ｃｍとする。また升目状の補強枠（２）は約７ｃｍ間隔の升目状で高さは８ｃｍとして受皿（１）内に収納されて一体の基礎体Ａを形成する。スペーサーブロックＢは１５ｃｍ×７．３ｃｍ、高さは５ｃｍのブロック体であり、図中中央の孔（５）はブロックＢ固定用のボルト（図示していない）挿入用の孔を示している。そして基礎体Ａ及びスペーサーブロックＢは硬質プラスチック製であり、エコキュート貯湯ユニット設置用の基礎架台として十分な強度を有している。【００１０】  本考案の実施の一例を示すと、リホームに際して、エコキュートを設置するに当って、従来から設置してある灯油やガス給湯器を取り外し、この跡にセット品となっている図１に示す基礎体Ａを設置し、この基礎体Ａ内の升目状補強枠（２）の頂面までコンクリートを投入して３個のスペーサーブロックＢを定位置に置き、そしてコンクリートの固化を待つことなく直ちにエコキュートを設置する。そして電源及び水道管を接続すればエコキュートは僅か一日位で設置が終了し使用が可能となる。しかる後架台上にコンクリートを打設してコテ仕上げをすることによってすべてが終了する。【００１１】  本考案においてはリホームで時間のない場合について記したが、時間に余裕のあるときや、新築の場合は初めから基礎を固めて基礎体Ａを設置し、コンクリートを全体に打設し養生固化後にエコキュートを設置することとする。
【産業上の利用可能性】
【００１２】  上述のように本考案のリホームにおけるエコキュートの設置がきわめて簡単で通常であれば数人の専門業者を入れての工事であるが、本考案では一業者でできるように構成されているため大幅なコスト削減ができ、未経験者での作業が可能であり、しかもこの基礎架台を用いれば、オイルタンクやエアコン等の基礎架台等にも利用が可能となり、この考案の利用範囲はきわめて大きい。
【図面の簡単な説明】
【００１３】
【図１】  基礎架台の平面図
【図２】  Ｘ−Ｘ断面図
【図３】  スペーサーブロック平面図及び側面図
【符号の説明】
【００１４】  （１）…受皿体
（２）…升目状補強枠
（３）…スペーサーブロック
（５）…ボルト孔
Ａ…基礎架台
Ｂ…スペーサーブロック
Ｈ…受皿の深さ
【図１】
0003155254.tif 000003
【図２】
0003155254.tif 000004
【図３】
0003155254.tif 000005
(57)【要約】      （修正有）【課題】コートハンガーにフック部分を設けることで、壁にビス穴をあけずに設置可能にしたコートハンガーを提供する。【解決手段】木・アルミ等で出来たコートハンガー１にフック部分を設け、長押やカーテンレールなどに、壁に傷を付けることなく引っ掛けてコートハンガー１を構成し、バッグ、帽子などをかけられる様にする。コートハンガー１の取り外しも容易に出来る様になる。【選択図】図１
0003155256.tif 000002
【実用新案登録請求の範囲】
【請求項１】
本体にフック部分を設け、長押やカーテンレール等に、本体を引っ掛けることにより、壁を傷つけることなく、コート、バッグ、帽子などを提げられ、取り外しが容易で、美観を損なわないフック式コートハンガー。
【考案の詳細な説明】
【技術分野】
【０００１】  本考案は、フック部分を設け、取り外しを自由にしたコートハンガーに関するものである。
【背景技術】
【０００２】  特に賃貸物件など、壁に傷を付けたくない場合のコートハンガーが市場にない。
【先行技術文献】
【考案の概要】
【考案が解決しようとする課題】
【０００３】  従来のコートハンガー（壁掛けビス留めタイプ）壁に傷が付き、取り外しが自由にきかない。その為、賃貸物件等には不向きである。フック式にすることで全述の問題点を解決しようとするものである。
【課題を解決するための手段】
【０００４】  本考案は、フック部分を設け、長押やカーテンレールに本体を引っ掛ける事により、前述の問題点を解決している。
【考案の効果】
【０００５】  上述の様に、本考案は従来品のビス留めとは違い、取り外しが自由にきくので、比較的使用頻度の少ない夏場等には外しておけ、部屋の美観を損なわない。
【図面の簡単な説明】
【０００６】
【図１】本考案のフック式コートハンガーのー実施例を示す正面図である。
【図２】本考案の側面図である。
【本考案を実施するための形態】
【０００７】  フック部分を長押やカーテンレールに引っ掛ける事で、本体を壁に取り付け取り外しが可能となり壁も傷が付かず美観も損なわない。
【実施例】
【０００８】  以下、添付図面に従ってー実施例を説明する。１は木、アルミニウム等でできたコートハンガー本体。２はフック部分で長押やカーテンレール等に引っ掛けることにより、コート、バッグ、帽子などを、壁に傷つけることなく掛けることを可能にした。
【符号の説明】１  コートハンガー本体部分
２  フック部分
【配列表フリーテキスト】【配列表】
【図１】
0003155256.tif 000003
【図２】
0003155256.tif 000004
(57)【要約】      （修正有）【課題】土留めとして用いられる物体に、人手で移動できる程の質量と、自然界の土留めの役割をする樹根と同様の形状の部品による土砂流動抑制の機能を持たせた樹根型土留めを提供する。【解決手段】枠組１のそれぞれの角の内側に、樹根を模した形状の部品２を取り付ける。枠組１は、立方体の辺を描くように組み合わせる。樹根を模した形状の部品２は、一本の棒状体の横に複数の棒状体が取り付けられた形状を成している。樹根を模した形状の部品２は、枠組１の角内部から枠組の内側中心まで伸びるような形で枠組１に取り付ける。枠組１及び、樹根を模した形状の部品２の素材は、合金、木、植物プラスチック、ＦＲＰ、ファインセラミック等、完成品を人力で移動させることが可能な質量とすることにできる物ならば何でも良い。枠組１と樹根を模した形状の部品２を接着する方法は、鋲止め、釘止め、溶接、接着剤による接着等、何でも良い。枠組１の外側一辺の長さは１ｍ以内とする。【選択図】図１
0003155252.tif 000002
【実用新案登録請求の範囲】
【請求項１】
整地をする工事に使う建材である土留めであって、直角に組み合わされた枠組に樹根を模した形状の部品が取り付けられたことを特徴とする土留め。
【考案の詳細な説明】
【技術分野】
【０００１】  本考案は、土塁や埋立地を建設する時に土砂流出を防止する目的で設置される石垣、柵、杭、その他の土留めに関する。
【背景技術】
【０００２】  従来、土塁や埋立地を建設する際に建材として用いられる土留めは、板状や棒状、塊状といった、様々な素材、形状を成した製品が製造され使用されている。しかしながら、それらは、工具類や重機を利用しなければ、建設現場に設置することが困難な部材なのである。【０００３】  土留めの機能は、流動体に対する抵抗物として、土手等の土塁や埋立地を構成する主材料である土砂が流動するのを防止することである。一般的に期待されているのが、人件費を含む施工に係る費用が安価になり、安全でなるべく早期に土砂に設置することができる建材としての機能であるが、これは、建設作業員の手の代わりとなる工具類や重機類を用いた場合にのみ有効に働く機能であり、土留め自体は、少人数の人手のみで土砂に設置される場合、工具類や重機を使用して土砂に設置する場合に比べると安価で安全に且つ早期に土塁や埋立地を建設することに貢献することが困難な建材である。【０００４】  なお、本願考案に関連する公知技術として次の特許文献１及び特許文献２を挙げることができる。【０００５】
【特許文献１】  特許公開平１０−１７６３３３
【特許文献２】  特許公開２００８−３０３５８４
【考案の開示】
【考案が解決しようとする課題】
【０００６】  上記の如く、従来技術に係る土留めは、土塁や埋立地の土砂の流動を抑制する目的で土砂に対して設置される建材であるが、その土砂に設置される工事の際に、工具類や重機の利用を受けなければ、安価な施工費用で安全に且つ早期に、土留めを含有することを前提とする土塁や埋立地を建設することを可能にする建材となることが出来ない。【０００７】  このため、土塁や埋立地を建設する工事現場は、毎年の如く土砂を工事する為の専門の工具類や大型の重機の往来で、作業員の安全やその付近の交通の円滑性が損なわれがちである。【０００８】  本考案は、このような点を考慮し成された物であり、その目的は、土留めとして用いられる物体に、人手で移動できる程の質量と、自然界の土留めの役割をする樹根と同様の形状の部品による土砂流動抑制の機能を持たせることで、地面に土留めを並べてはこれを土砂の盛り土により埋設するという方式の工事をすることを可能にした上で、人が工具類や重機に頼ることなく安価な工事費で安全に且つ早期に土留めを土砂に設置することができるようにすることである。
【課題を解決するための手段】
【０００９】  上記の目的を達成する本考案の樹根型土留めは、整地をする工事に使う建材である土留めであって、直角に組み合わされた枠組に樹根を模した形状の部品が取り付けられたことを特徴とする。
【考案の効果】
【００１０】  以上説明したように、本考案によれば、直角に組み合わされた枠組に樹根を模した形状の部品を取り付けるようにしたので、人口の土留めに自然界で土留めの役目を果たしている樹根と同様の機能を持たせることが可能となる。この樹根型土留めを例えば埋立地や土塁の建設に建材として用いることで、盛り土予定地の地面に土留めを単に人手によって並べてその上に土砂の盛り土を行い埋立地や土塁を建設するという内容の工事を行うことが可能となり、土留めを含有する埋立地や土塁の工事に使われる工具類や重機の使用に係る建設費用の節減、建設作業に不慣れな失業者に対する建設系職種への就労の斡旋拡大、建設作業に於ける安全性の向上に有効である。
【考案を実施するための最良の形態】
【００１１】  以下、本考案の実施の形態を図面に基づき詳細に説明する。【００１２】  図１から図２は、本考案の第１の実施の形態に係り、図１はその外観斜視図、図２はその正面図である。【００１３】  図１、図２で示すように、本考案は、枠組１の角内側に、樹根を模した形状の部品２を取り付けたものである。【００１４】  図１で示すように、枠組１は、立方体の辺を描くように組み合わされている。【００１５】  図１、図２で示すように、樹根を模した形状の部品２は、一本の棒状体の横に複数の棒状体が取り付けられた形状を成している。【００１６】  図１で示すように、樹根を模した形状の部品２は、枠組１の角内側から枠組の内側中心まで伸びるような形で枠組１に取り付けられる。【００１７】  枠組１及び、樹根を模した形状の部品２の素材は、合金、木、植物プラスチック、ＦＲＰ、ファインセラミック等、本考案の完成品を人力で移動させることが可能な質量とすることにできる物ならば何でも良い。【００１８】  枠組１と樹根を模した形状の部品２を接着する方法は、鋲止め、釘止め、溶接、接着剤による接着等、本考案の形状を成した物体を製造できるものであれば何でも良い。【００１９】  枠組１の外側一辺の長さは１ｍ以内である。
【産業上の利用可能性】
【００２０】  本考案は、建材を製造、販売する産業分野で利用する事ができる。
【図面の簡単な説明】
【００２１】
【図１】  本考案の実施の形態に係る樹根型土留めの外観斜視図である。
【図２】  図１の樹根型土留めの正面図である。
【符号の説明】
【００２２】  １          枠組
２          樹根を模した形状の部品
【図１】
0003155252.tif 000003
【図２】
0003155252.tif 000004
(57)【要約】      （修正有）【課題】発熱温度と発熱持続時間を状況に応じて自由にコントロールできる使いすてカイロを提供する。【解決手段】カイロ本体１における発熱袋体１Ｂの空気透過面に対して接着剤が塗布された非通気性のカバー１Ｅが被覆されている。そしてこのカバー１Ｅにはミシン目１Ｆが複数並列に配置されていて、該ミシン目１Ｆに沿ってカバー１Ｅの一部が発熱袋体１Ｂから容易に剥離できるように形成されている。手足等の保温を行う際には、包装袋２を開封してカイロ本体１を取り出した後、状況に応じてカバー１Ｅを適宜剥離する行為を追加して、空気透過量を適時コントロールして使用すれば、発熱温度と発熱持続時間とを調整できる。【選択図】図３
0003155251.tif 000002
【実用新案登録請求の範囲】
【請求項１】
カイロ本体１の空気透過面の一部又は全面に分割可能な非通気性被覆カバー１Ｅを接着して、使用時に空気透過量を自由にコントロール出来るようにした事を特徴とする使いすてカイロ。
【考案の詳細な説明】
【技術分野】
【０００１】  この考案は防寒、保温および冷え防止用として、広く一般に使用されている使いすてカイロに関するものである。
【背景技術】
【０００２】  周知の如く、使いすてカイロは、酸素によって発熱する発熱剤を前面または片面に空気を透過する発熱袋体に充填密封し（以下、これをカイロ本体と称す。）、このカイロ本体を非通気性の包装袋に収納させて成るもので、使用に当たっては前記包装袋を開封して前記カイロ本体を取り出し、該カイロ本体の発熱作用を利用して人体各部の保温等を計らんとするものである。
【考案の概要】
【考案が解決しようとする課題】
【０００３】  上述した従来の使いすてカイロにあっては、その放熱部位が換言すれば空気の透過面積がカイロ本体の全面又は片面に限られ一定化しているため、使用時における発熱温度を自由にコントロールすることが不可能であった。又、発熱持続時間も同様にコントロールすることが出来なかった。
【課題を解決するための手段】
【０００４】  本考案は上述した点に鑑み、前記従来のカイロ本体の空気透過面に例えばミシン目等によって複数枚に分割可能なフィルム状の非通気性被覆材カバーを接着して空気透過面積即ち空気透過量を自由にコントロールせんとしたものである。
【考案の効果】
【０００５】  本考案の新規に改良された使いすてカイロによれば、使用時の状況に応じて、非通気性被覆カバーの一部をミシン目に沿って適当に切り取って使う事により、空気透過面積を自由にコントロールして発熱温度と発熱持続時間を自在に調整し得る効果が期待出来る。
【図面の簡単な説明】
【０００６】
【図１】従来の使いすてカイロを示す縦断面である。
【図２】従来の他の例の使いすてカイロを示す縦断面図である。
【図３】本考案に係る使いすてカイロを示す縦断面図である。
【図４】本考案の他の例の使いすてカイロを示す縦断面図である。
【考案を実施するための形態】
【０００７】  図１および図２は周知の使いすてカイロの縦断面で、発熱剤１Ａを微細な連続孔を備えた発熱袋体１Ｂに装填密封したカイロ本体１は、非通気性の包装袋２に収納されている。この包装袋２を開封してカイロ本体１を外気にさらせば、図１のものではカイロ本体１の全面を通して、又図２のものは片面から空気が侵入して直ちに発熱作用を開始する。尚、図２のカイロ本体の他面は、非通気性のゴム質等の材質から成るシート材１Ｃが使われ、このシート材１Ｃにフィルム１Ｄが予め接着されているもので、使用時にはフィルム１Ｄを剥離してカイロ本体１を着衣に直接接着して使用するものである。
【０００８】  図３および図４は本考案に係る使いすてカイロの代表的な実施例を示すもので、カイロ本体１を非通気性の包装袋２内に収納しておく方式は従来例と同じであるけれども、本考案ではカイロ本体１における発熱袋体１Ｂの空気透過面に対して接着剤が塗布された非通気性のカバー１Ｅが被覆されている。そしてこのカバー１Ｅにはミシン目１Ｆが複数並列に配置されていて、該ミシン目１Ｆに沿ってカバー１Ｅの一部が発熱袋体１Ｂから容易に剥離できるように形成されている。
【０００９】  而して今、手足当の保温を行う祭には、従来と同様に包装袋２を開封してカイロ本体１を取り出した後、状況に応じてカバー１Ｅを適宜剥離する行為を追加して、空気透過量を適時コントロールして使用すれば、発熱温度と発熱持続時間とが調整され、使い勝手の良好な使いすてカイロを得ることが出来る。更に本考案によれば温度が急上昇する不具合も防止され極めて実用的である。
【実施例】
【００１０】  上記の実施例において、カバー１Ｅは予めミシン目１Ｆが付設され、空気透過面の全面を覆うものを示したが、夫々分離独立した複数枚のカバーを並列配置したものであったり、空気透過面の７〜８割を覆うようにしたカバーであっても差し支えない。
【産業上の利用可能性】
【００１１】本考案は、カイロ本体の空気透過面に非通気性材質から成り、剥離可能なカバーを新たに追加接着したことによって、使いすてカイロの空気透過量を適時調整することにより、発熱温度とのその持続時間が自由にコントロール出来るといった大なる実用的価値をもたらすものである。
【符号の説明】
【００１２】  １・・・・・カイロ本体
１Ａ・・・・発熱剤
１Ｂ・・・・発熱袋体
１Ｅ・・・・カバー
１Ｆ・・・・ミシン目
２・・・・・包装袋
【図１】
0003155251.tif 000003
【図２】
0003155251.tif 000004
【図３】
0003155251.tif 000005
【図４】
0003155251.tif 000006
(57)【要約】      （修正有）【課題】具付き冷凍麺の具材、麺塊、外装体が破損することのないよう、また具材、調味料などの別包装を必要としない、具類をそのまま納めた麺塊及びそれを製造するための具付き冷凍麺用成形容器（トレー）を提供する。【解決手段】冷凍麺の中央部に円形の凹部を設け、凹部に具材を収納できるようにする。凹部の形状は方形ではなく円形が好ましい。また具材を包装せずに直接収納する成形容器底部中央部分に頭部フラットの円錐台形の凸部を設け、底面及び側面にスリットが形成されている。【選択図】図２
0003155263.tif 000002
【実用新案登録請求の範囲】
【請求項１】
冷凍麺の中央部に円形の凹部を設け、凹部に冷凍具材を直接収納したことを特徴とする冷凍麺。
【請求項２】
冷凍麺の中央部に丸型の凹部を設けるための成形容器であって、成形容器底部中央部分に頭部フラットの円錐台形の凸部を設け、底面及び側面にスリットが形成されていることを特徴とする具付き冷凍麺用成形容器。
【考案の詳細な説明】
【技術分野】
【０００１】
本考案は、具付き冷凍麺、例えば天ぷらうどん、きつねそば等麺類に具を添えて販売する場合に便利な、具付き冷凍麺および具付き冷凍麺用成形容器(トレー)に関する。
【背景技術】
【０００２】
従来、冷凍麺の販売においては、麺の他に天ぷら、あげ、あるいはカレールー、味付け添加物等を一体として販売する場合、別封あるいは同封包装しているが、同封包装すると作業上不便であるばかりでなく、麺塊の上に盛り上がって具材や麺塊あるいは外装体も破損して商品として不適な状態となるので、運搬や保管の際に細心の注意を払う必要があった。
【０００３】
一方、インスタントラーメンにおいては、製麺機で製造された屈曲麺に凹状の収納部を形成した乾麺(実公昭５０−１０４７８号公報(特許文献１))、麺本体の中央部に方形又は円形の凹所を形成した即席麺(実開昭５０−１１９６７４号公報(特許文献２))あるいは空洞を形成するような形状に乾燥あるいは油揚脱水乾燥して固形化しためんと、この空洞の中に収納された具とからなる即席食品(実開昭５０−４６７８２号公報(特許文献３))等の開示がある。
【０００４】
しかしながら、これらの考案は、いずれもインスタントラーメンを対象としたものであり、冷凍麺および冷凍された具を対象としていない。
【先行技術文献】
【特許文献】
【０００５】
【特許文献１】実公昭５０−１０４７８号公報
【特許文献２】実開昭５０−１１９６７４号公報
【特許文献３】実開昭５０−４６７８２号公報
【考案の概要】
【考案が解決しようとする課題】
【０００６】
本考案は、具付き冷凍麺の具材、麺塊、外装体が破損することのないよう、また具材、調味料などの別包装を必要としない、具類をそのまま納めた麺塊及びそれを製造するための具付き冷凍麺用成形容器（トレー）を提供することを課題とする。
【課題を解決するための手段】
【０００７】
本考案者等は、上記課題を解決すべく鋭意努力した結果、冷凍麺の中央部に円形の凹部を設け、凹部に具材を収納できるようにしたものであって、かつ凹部の形状は方形ではなく円形が好ましいこと、また具材を包装せずに直接収納することが有効であることを見出した。
【０００８】
すなわち、本考案は
(１)冷凍麺の中央部に円形の凹部を設け、凹部に冷凍具材を直接収納したことを特徴とする冷凍麺、
(２)冷凍麺の中央部に丸型の凹部を設けるための成形容器であって、成形容器底部中央部分に頭部フラットの円錐台形の凸部を設け、底面及び側面にスリットが形成されていることを特徴とする具付き冷凍麺用成形容器、
に関するものである。
【０００９】
本考案は、麺中央部に設ける凹部が方形ではなく円形にすることによって、具材を収納するに当たって、簡便に収納できるとともに、具が凹部よりはみ出ることを避けることができる。
【００１０】
また、麺の中央部に具材を包装せずに直接収納してあるので、無駄な包装材料を使用する必要がなく、調理時にも包装材を剥す必要がないため、簡便に調理できるという利点も併せ持っている。
【００１１】
更に、本考案は冷凍麺を対象とし、麺・具が一体的に凍結されていることから、保形性を持たせられるので、製造工程中に崩れることがなく、具付き冷凍麺の取扱が容易となるばかりでなく、麺および具の本来の味を楽しむことができる。なお、凍結は急速凍結が好ましい。
【００１２】
本考案の製造工程は、次の通りである。
製麺→麺茹で→麺冷却→麺を等分化して成形容器（トレー）に充填→麺凍結→成形容器（トレー）搬送→成形容器（トレー）反転→成形容器（トレー）の底部に衝撃付与→麺取り出し→麺凹部に冷凍具材収納→冷凍保存  
【００１３】
冷凍麺の中央部に丸型の凹部を設けるための成形容器(トレー)については、具材の大きさにもよるが、トレーの中央凸部は麺の左右への振り分けを容易に行う為に、できるだけフラットで広さも広い方が好ましい。また、底面および側面に、スリットを形成することによって、麺を成形容器に充填した際、水を切る役割を担うことができる。また、成形容器を反転して麺凍結体を取り出す際も容易に行うことができる。
【００１４】
本考案において冷凍麺とは、冷凍したそば、うどん等を指している。また、本考案における具材としては、油揚げ、えび天ぷら、かきあげ、かまぼこ、ねぎ、味付け肉等を使用することができる。
【００１５】
成形容器は金属製でもプラスチック製でも良いが、麺あるいは具材に臭いが移行するものは避けることが肝要である。
【考案の効果】
【００１６】
本考案により、包装されていない具材を麺塊の中に容易に収納することができ、更にそれを調理する際、極めて簡便に行うことができ、しかも無駄な包装を排除することができる。
【図面の簡単な説明】
【００１７】
【図１】本考案の冷凍麺を示す写真である。
【図２】本考案の成形容器（トレー）を示す図である。
【考案を実施するための形態】
【００１８】
本考案を図面に基づいて説明すると、図１は冷凍うどんの中央の円形凹部に冷凍えび天ぷらを収納したものの写真である。
【００１９】
図２は麺塊を左右に振り分けて充填するためのプラスチック製成形容器(トレー)である。底部中央部分に頭部フラットの円錐台形の凸部があり、反転すると底部中央に凹部が形成された麺塊を取り出すことができ、その凹部に具材を収納することとなる。
【００２０】
側面および底面にはスリットが切ってあり、水を切る役割および成形容器を反転して麺凍結体を取り出す際も容易に行うことができる。
【符号の説明】
【００２１】
１：麺
２：具材
３：凹部
４：成形容器
５：底部中央部分の頭部フラットの円錐台形凸部
６：スリット
【図１】
0003155263.tif 000003
【図２】
0003155263.tif 000004
(57)【要約】      （修正有）【課題】食べにくかった米糠をヨーグルトに付加することで食べや易くした健康対策米糠ヨーグルトを提供する。【解決手段】国内産新米（玄米の状態で残留農薬検査済み）の糠、成分を保全並びに保存できるように加工を施す遠心分離器により異物除去、（水溶性ビタミンの流失を防ぐため水流での洗浄は行わない）油を使わずに、きつね色に変化するまで加熱滅菌処理後、粉砕機にてパウダー状に成るまで、すりつぶし、真空状態でパックする。５００グラムのヨーグルト１に対して２０グラムの米糠パック４を内蓋３と外蓋２の間に配置する。無糖の場合は砂糖パック５も付加する。【選択図】図２
0003152508.tif 000002
【実用新案登録請求の範囲】
【請求項１】
精米の時点で廃棄され、一般的に食されていない米糠を加工し真空パックにしてヨーグルトに付加、好みに応じて添加し、その量を加減できる状態にすること。
【考案の詳細な説明】
【技術分野】
【０００１】本考案は、食べにくかった米糠をヨーグルトに付加することにより食べやすくし、偏った食生活によって誘発する栄養障害を、米糠付きヨーグルトの成分によって補充することに関する。
【背景技術】
【０００２】栄養改善を目的に、米糠を餡に混入させ違和感なく、各種ビタミン、ミネラルを摂取できる製品の例である。（特許文献１参照。）又、東京大学の研究で米糠成分の１つ、ガンマオリザノールに抗アレルギー作用を発見し特許取得、（特許文献２）第５２回日本アレルギー学会にて、米糠関連食品のアレルギー性喘息の予防と症状軽減効果を動物実験（人工的に喘息にした、ねずみに大和薬品の米糠健康食品バイオプラン投与）により証明（非特許文献１参照）
【先行技術文献】
【特許文献】
【０００３】
【特許文献１】特許公開２００７−２２２１２６
【特許文献２】特許公開２００７−１４５７４１
【非特許文献】
【０００４】
【非特許文献１】第５２回日本アレルギー学会２００２年１１月２８日２９日３０日
【考案の開示】
【考案が解決しようとする課題】
【０００５】米糠独特の味、臭い、見た目も悪く、まるで木くずのようである、中には怖くて子供に食べさせられない、若い親もいる、その為一般家庭から食材とは無縁とされ玄米の９割（胚芽も含む）以上を占める栄養分でありながら精米の時点で廃棄されている、この為、食生活の中にヨーグルトを利用し、食べやすく安価で継続的に違和感なく米糠成分を摂取できる状態にすることが課題である。
【課題を解決するための手段】
【０００６】国内産新米（玄米の状態で残留農薬検査済み）の糠、成分を保全並びに保存できるように加工を施す遠心分離器により異物除去、（水溶性ビタミンの流失を防ぐため水流での洗浄は行わない）油を使わずに、きつね色に変化するまで加熱滅菌処理後、粉砕機にてパウダー状に成るまで、すりつぶし、真空状態でパックすることにより保存料など無添加で開封前、１０度以下の低温下で４週間保存可能、開封後でも同条件で２週間程度の保存可能、既存するヨーグルトに付加する。
従来のヨーグルトに米糠パックを付加している製品はなく、その点において新しい製品である、付加する理由として、子供は少量、大人は多量にと嗜好に応じて加減できる為である。この米糠パックを加糖、及び無糖ヨーグルト（無糖の場合は砂糖付加）に、かかわらず、付加することによって乳幼児から大人まで摂取できる状態である。
【考案の効果】
【０００７】各種ビタミン、ミネラル（コレステロールの吸収抑制に食物繊維、神経筋肉機能のエネルギー供給、脚気の予防にビタミンＢ１、免疫力の強化及び神経伝達物質の生成にビタミンＢ６、体内脂肪の抗酸化作用にビタミンＥ、ミネラル（貧血予防に鉄、心臓疾患予防にマグネシウム、インシュリンの合成にマンガン）の消化吸収便通も改善し、ヨーグルトに混入することにより米糠独特の味、臭いが消失した。
【考案を実施するための最良の形態】
【０００８】５００グラムのヨーグルトに対して２０グラムの米糠パックを内蓋と外蓋の間に配置する。無糖の場合は砂糖パックも付加する。
【図面の簡単な説明】
【０００９】
【図１】健康対策米糠ヨーグルト正面分解図
【図２】健康対策米糠ヨーグルト断面格納図
【符号の説明】
【００１０】１    ヨーグルト本体
２    外蓋
３    内蓋
４    米糠パック
５    砂糖パック
【図１】
0003152508.tif 000003
【図２】
0003152508.tif 000004
【手続補正書】
【提出日】平成21年4月30日(2009.4.30)
【手続補正１】
【補正対象書類名】実用新案登録請求の範囲
【補正対象項目名】全文
【補正方法】変更
【補正の内容】
【実用新案登録請求の範囲】
【請求項１】
容器入りヨーグルトに、精米の時点で廃棄され、一般的に食されていない米糠を加工し真空パックにした米糠パックを付加したことを特徴とする米糠ヨーグルト。
(57)【要約】      （修正有）【課題】一人で箸を正しく持ち、上手に使える様になる練習用の箸を提供する。【解決手段】親指付け根付近で持つ方の箸に把手３を付け、小・薬指でしっかり握り、箸をしっかり固定すると同時に小・薬指の置く位置を決め、もう一本の箸がぐらつかない様に人差し指と中指で薄い板５を挟みなおかつ、人差し指の指先と中指の第一関節より先の部分が接触するように板４を装着し、人差し指と中指の位置を決める。尚、二本の箸の位置関係を決める為に二本の箸をバネで繋ぐ。【選択図】図１
0003152502.tif 000002
【実用新案登録請求の範囲】
【請求項１】
一本の箸に小・薬指の指先で掴めるように、尚且つ、薬指の指先の中指側が箸にあたるように細長い穴をあけた把手（図１の３）を装着し、
もう一本の箸に図１の５の如く、人差し指と中指の間に薄い板を挾み、その板を箸に装着し、箸１のぐらつきをなくし、人差し指、中指の位置を決める為  人差し指の指先、中指の第一関節より先の部分が接触する位置に板（図１の４）を装着した箸。
【考案の詳細な説明】
【技術分野】
【０００１】  本考案は、一人で箸を正しく持ち、上手に使える様になる箸に関するものである。
【背景技術】
【０００２】  従来、箸の持ち方は両親や身内の人が子供に教えていた為、教える人が正しく箸を持っていなかったり、教え方が下手だったり、教えられる子供が正しく覚えられなかったりしていました。
従来の練習用の箸は箸の太い部分に把手を付けたものがある。
【先行技術文献】
【特許文献】
【０００３】  特開平０８−１３１３１２
【考案の概要】
【考案が解決しょうとする課題】
【０００４】  箸を正しく持ち上手に使えるようになるには、子供の頃に両親や身内の人が時間をかけ、根気に教えなければ上手になれませんし、又、年をとってから持ち方を変える事は非常に難しい事である為、本考案の練習用箸を使い箸を上手に使いこなす様になる事である。
親指の付け根付近で持つ箸２と親指・薬指・小指の位置関係を決め、箸２を動かない様にしっかり固定し、
箸１と親指・人差し指・中指の位置関係を決め、箸１の先端が自由に動かせる様にする事。
【課題を解決するための手段】
【０００５】  一本の箸に［図１］の３の如く把手  ３を装着し、その把手に細長い穴をあけ、小指・薬指の指先で掴める様にし、尚且つ、薬指の指先の中指側が箸２にあたる様にし  又、［図  １］の５の如く箸  １がぐらつかない様に人差し指と中指の間に薄い板  ５をはさみ、その板を箸  １に装着する。
人差し指の指先・中指の第一関節より先の部分が接触する位置に板  ４を箸  １に装着する。
二本の箸の位置関係を決める為、従来からやっている如くバネで箸を繋ぐ。
【考案の効果】
【０００６】  箸  ２  に穴のあいた把手  ３を装着する事により、薬指・小指の位置が正確に解り箸２がしっかり  固定され、箸の先端が動かなくなり、しっかり物を掴める様になり、
中指・人差し指の間に薄い板をはさみ、その板を箸  １に装着する事により箸  １がぐらつかなくなり、
人差し指の指先・中指の第一関節より先の位置を決める為、箸  １に板を装着する事により、人差し指・中指の置く位置が正確に理解出来る様になる為、
本考案を使用すれば、日本人、外国人でも、箸を上手に使いこなせない人でも、一人で簡単に使いこなす事が出来るようになりました。
【考案を実施するための形態】
【実施例１】
【０００７】  箸  ２に装着した把手  ３の穴のあいた部分に薬指・小指を差し込み把手を握り
箸  ２をしっかり固定し
箸  １に装着した薄い板  ５を人差し指、中指で挟み  箸がぐらつかない様にし、人差し指の指先と中指の第一関節より先の部分を板  ４に接触する様に指を置き人差し指、中指の位置を決める。
指の長さ・太さが大人と子供では相当違いがある為、大人用、子供用を製作する。
【図面の簡単な説明】
【０００８】
【図１】  本考案の実施形態を示す箸の横から見た外観図
【図２】  本考案の実施形態を示す箸の太い側から見た外観図
【符号の説明】  １        箸
２        箸  （手元側）
３        箸２を固定し、小指・薬指の指先が入る穴をあけた把手
４        箸１に装着し、中・人差し指の位置を決める為の板
５        人差し指・中指で挟み箸  １をぐらつかない様にする為の薄い板
６        二本の箸の位置関係を決めるバネ
【図１】
0003152502.tif 000003
【図２】
0003152502.tif 000004
【手続補正書】
【提出日】平成21年5月7日(2009.5.7)
【手続補正１】
【補正対象書類名】実用新案登録請求の範囲
【補正対象項目名】全文
【補正方法】変更
【補正の内容】
【実用新案登録請求の範囲】
【請求項１】
一本の箸に小・薬指の指先で掴めるように、尚且つ、薬指の指先の中指側が箸にあたるように細長い穴をあけた把手を装着し、
もう一本の箸に、人差し指の指先と中指の指先との間に薄い板を挾み、その板をもう一本の箸に装着し、箸のぐらつきをなくし、人差し指、中指の位置を決める為、人差し指の指先、中指の第一関節より先の部分が接触する位置に板を装着した箸。
(57)【要約】      （修正有）【課題】自由研削用グラインダーの試運転時、回転部分を容易に挿入して覆い、試運転を安全に行うことができるカバーを提供する。【解決手段】蓋のついた汁椀の蓋の約半分を取り除き、蓋の中央部分はグラインダー本体の軸受け外周部分の面積も除いた形状とする。その蓋１の欠けた部分より自由研削用グラインダー３の回転部分を挿入すると砥石下面全部と固定カバー４が覆っていない上側１８０度が完全に覆われる構造である。この状態で試運転すれば砥石が破損しても飛散は防止される。作業休止時の自由研削砥石の保管にも適している。【選択図】図４
0003152506.tif 000002
【実用新案登録請求の範囲】
【請求項１】
図１、図２に示すような自由研削用グラインダー３の回転部分を覆う形状に、切欠け２を設け、その切欠けより自由研削グラインダーの回転部分を挿入して、図４に示すように装着して自由研削用グラインダーの試運転を安全に行うことを特徴とした自由研削用グラインダーの試運転用カバー。
【考案の詳細な説明】
【技術分野】
【０００１】  本考案は自由研削用グラインダーの試運転用のカバーに関するものである。
【背景技術】
【０００２】  自由研削用グラインダーは作業開始前に１分間以上、砥石交換時には３分間以上の試運転が義務付けられている。この際研削砥石が破損しても負傷する恐れのない安全な位置で、グラインダーに異常な音響や振動のないことを確かめるようになっている。
【考案の開示】
【考案が解決しようとする課題】
【０００３】  試運転時に研削砥石が破損した場合はどこへ飛ぶか分からないため危険が伴うのは避けられなかった。従って試運転時に本考案のカバーを取り付けることにより破損砥石の飛散を防止し前述の欠点を解決しようとするものである。
【課題を解決するための手段】
【０００４】  本考案は砥石の回転部分の既設のカバーからはずれる部分を覆うハンデイタイプのカバーである。既設のカバーから露出している回転部分を完全に覆うことができる。
【考案の効果】
【０００５】  回転砥石部分をカバーするだけの大きさなので自由研削用砥石と一緒の携帯が可能となった。また自由研削用グラインダーは使用しないとき作業床面に直接砥石が触れるように置かれることも多く砥石が湿気を吸収して弱くなる危険性も指摘されてきた課題であったが、本考案のカバーを装着することによりその課題も解決される。
【考案を実施するための最良の形態】
【０００６】  自由研削用グラインダーのうち多用されるデイスクグラインダーを対象に説明する。通常の使用方法ではオフセット砥石の平面側と円周を使い作業される。そのため固定カバーは手前側の上側及び円周方向１８０度を覆っている。研削時はこれで作業者側はカバーされており、問題はない。試運転時には砥石破損の事態を考慮すると、研削時のカバーでは不足である。本考案は蓋のついた汁椀の蓋の約半分を取り除き、蓋の中央部分はグラインダー本体の軸受け外周部分の面積も除いた形状である。その蓋の欠けた部分よりデイスクグラインダーを挿入すると砥石下面全部と固定カバーが覆っていない上側１８０度が完全に覆われる構造である。この状態で試運転すれば砥石が破損しても飛散は防止される。作業休止時の自由研削砥石の保管にも適している。
【実施例】
【０００７】  以下、添付図面に従って一実施例を説明する。
１は本考案の自由研削用グラインダーの試運転用カバー、２は１の切欠け部、３は自由研削用グラインダー、４は３の固定カバー、５はオフセット砥石である。自由研削用デイスクグラインダーの試運転を行う場合、自由研削用グラインダー３の砥石５部分を試運転用カバー１の切欠け部２より挿入して図４のようにセットする。それからグラインダーのスイッチを入れて試運転を開始する。
【産業上の利用可能性】
【０００８】  自由研削用グラインダーの試運転は義務付けられているが１分はやってみると理解できるが非常に長い。
手持ちのままで行うには無理な時間である。
本考案を使用して行う試運転はグラインダーのスイッチを入れて放置しておくだけで目的は達成されるので作業に抵抗感はなく利用可能性は高い。
【図面の簡単な説明】
【０００９】
【図１】本考案の自由研削用グラインダーの試運転用カバーの正面図
【図２】本考案のＡ−Ａ断面図
【図３】自由研削用グラインダーの側面図
【図４】自由研削用グラインダーに本考案を装着した側面図
【符号の説明】
【００１０】  １  本考案の自由研削用グラインダーの試運転用カバー
２  切欠け部
３  自由研削用グラインダー
４  固定カバー
５  オフセット砥石
【図１】
0003152506.tif 000003
【図２】
0003152506.tif 000004
【図３】
0003152506.tif 000005
【図４】
0003152506.tif 000006
【手続補正書】
【提出日】平成21年5月1日(2009.5.1)
【手続補正１】
【補正対象書類名】実用新案登録請求の範囲
【補正対象項目名】全文
【補正方法】変更
【補正の内容】
【実用新案登録請求の範囲】
【請求項１】
自由研削用グラインダーの回転部分を覆う形状の一部に切欠けを設け、その切欠けより自由研削用グラインダーの回転部分と固定カバーを挿入して、自由研削用グラインダーの回転部分を覆い、試運転を安全に行うことを特徴とした自由研削用グラインダーの試運転用カバー。